(57)【要約】【課題】ノズル本体内に汚れが浸入しにくく、かつ確実な洗浄が可能な局部洗浄ノズルを提供する。【解決手段】内設部材１は、ノズル本体２のノズル孔２ａを開閉するものであり、バネ部材３と関連して開閉弁を構成しているため、外部から汚物の浸入を防止でき衛生的な洗浄ノズル構成が図ることができる。【選択図】図１
2005232895.tif 000002
【特許請求の範囲】
【請求項１】
人体局部に向けて洗浄水を噴出するノズル孔を設けたノズル本体を備え、前記ノズル本体の内部に、前記ノズル孔を開閉するように摺動する内設部材と前記内設部材に接触したバネ部材を設けた局部洗浄ノズル。
【請求項２】
内設部材は、ノズル本体のノズル孔近傍設けた請求項１に記載の局部洗浄ノズル。
【請求項３】
内設部材は、ノズル孔に導通する流路部と、閉鎖部を形成し、局部洗浄時に前記流路の出口をノズル孔に重合させてなる請求項１または２に記載の局部洗浄ノズル。
【請求項４】
内設部材の外側と、ノズル本体の内側の間にシール部材を設けた請求項３に記載の局部洗浄ノズル。
【請求項５】
人体局部に向けて洗浄水を噴出するノズル孔を設けたノズル本体を備え、前記ノズル本体の内部に、前記ノズル孔を開閉する逆止弁部材を設けた局部洗浄ノズル。
【発明の詳細な説明】
【技術分野】
【０００１】
本発明は、人体の局部に向けて洗浄水を噴出して洗浄を行うようにした衛生洗浄装置における局部洗浄ノズルに関するものである。
【背景技術】
【０００２】
従来、この種の局部洗浄ノズルは、図７に示すように、樹脂製のノズルの先端に、樹脂製のノズル本体２が嵌合され、ノズル本体２に設けたノズル孔２ａから洗浄水を噴出する構成となっていた。
【０００３】
また、ノズルパイプ部とノズル先端部を一体として構成した局部洗浄ノズルもあった（例えば、特許文献１参照）。図８は前記特許文献１に記載された局部洗浄ノズルを示すものである。図８において、ノズル本体２は、凹部のない平滑表面を有するシームレス構造になっている。ノズル本体２の先端付近には複数のノズル孔２ａが設けられており、ノズル本体４内部に備えたそれぞれの流路１ａと連通している。図９においてノズル孔２ａは開放状態のため、汚物８がノズル本体内に浸入しやすい形態となっていた。
【特許文献１】特開２００１−３４８９４０号公報（第３図）
【発明の開示】
【発明が解決しようとする課題】
【０００４】
しかしながら、前記従来の構成では、衛生洗浄装置の局部洗浄ノズルは、ノズル本体２の先端部に設けたノズル孔２ａから洗浄水を噴出する前では開放状態になるので、外部からの汚物等が浸入しやすく、洗浄水の衛生面での心配が生じる。ここで、ブラシ等により汚れを取り除こうとしても、ノズル本体２内部まで充分に清掃することは困難であり、また、ノズル全体に洗剤や高温水をかけて汚れを取り除く方法も考えられるが、樹脂製のノズルに洗剤や高温水をかけることは不適切であり、結果、充分な清掃を行うことは困難であるという課題を有していた。
【０００５】
本発明は、前記従来からの課題を解決するもので、ノズル孔２ａに開閉部を設けることにより、ノズル本体２内部への汚物の侵入を防ぎ清潔な洗浄水を噴出する局部洗浄ノズルを提供することを目的とする。
【課題を解決するための手段】
【０００６】
前記従来の課題を解決するために、本発明の局部洗浄ノズルは、ノズル本体先端内部に、洗浄水を噴出するノズル本体孔に開閉部材を内装したものである。
【０００７】
これによって、局部を洗浄する寸前までノズル孔は閉止され、汚物が浸入しないため、洗浄水の衛生が保たれ、
衛生面を向上した衛生洗浄装置の局部洗浄ノズルとなる。
【発明の効果】
【０００８】
以上のように本発明の局部洗浄ノズルによると、衛生的な洗浄水を噴出することができるとともに、ノズル内部を清潔に維持することができる。
【発明を実施するための最良の形態】
【０００９】
第１の発明は、人体局部に向けて洗浄水を噴出するノズル孔を設けたノズル本体を備え、ノズル本体の内部に、ノズル孔を開閉するように摺動する内設部材と内接部材に接触したバネ部材を設けることにより、外部からの汚物浸入防止することができる。
【００１０】
第２の発明は、特に、第１の発明の内設部材をノズル本体のノズル孔近傍に設けたことにより、整流部材の大きさを小さくすることができ、かつ、容易に作製することができる。
【００１１】
第３の発明は、特に、第１の発明または第２の発明の内設部材をノズル孔に導通する流路部と、閉鎖部を形成し、局部洗浄時に前記流路の出口をノズル孔に重合させてなることにより、洗浄水がノズル孔から噴出する寸前までノズル孔が閉鎖されることになり、確実に外部からの汚物を斜断することができる。
【００１２】
第４の発明は、特に、第１の発明または第３の発明の内設部材の外側と、ノズル本体の内側の間にシール部材を設けたことにより、内設部材の動きと水の気密性が向上し、確実にノズル孔の開閉動作を繰返し行い信頼性が得られる。
【００１３】
第５の発明は、人体局部に向けて洗浄水を噴出するノズル孔を設けたノズル本体を備え、ノズル本体の内部に、ノズル孔を開閉する逆止弁部材を設けたことにより、簡単な構成で外部からの汚物浸入防止することができる。
【００１４】
以下、本発明の実施の形態について、図面を参照しながら説明する。なお、本実施の形態によって本発明が限定されるものではない。
【００１５】
（実施の形態１）
図１〜５は本発明の第１の実施の形態における人体の局部洗浄中（ａ）と洗浄前（ｂ）の洗浄ノズル先端の断面図を示すものである。
【００１６】
図１において、内設部材１は、ノズル本体２のノズル孔２ａを開閉するものであり、バネ部材３と関連して開閉弁を構成している。
【００１７】
以上のように構成された局部洗浄ノズルについて、以下その動作、作用を説明する。
【００１８】
まず、人体の局部洗浄中（ａ）において内設部材１は、洗浄水の水圧によってノズル本体２の先端へと軸方向に移動する。移動位置は、ノズル本体２の内側形状とバネ部材３の設定荷重で決まり、内設部材１の流路部１ａとノズル本体２のノズル孔２ａが一致し、洗浄水が噴出するように設定されている。
【００１９】
また、ノズル本体２が衛生洗浄装置本体（図示せず）から繰り出して洗浄位置に移動するまで、ノズル本体２のノズル孔２ａが閉止されているため、ノズル本体１が移動時にノズル本体孔２ａから洗浄水が吹き上げて、おしりに接触し不快感を与えることに対しても防止効果がある。
【００２０】
次に人体局部洗浄前（ｂ）の動作、作用について説明する。洗浄前は、ノズル本体２の内部の洗浄水の水圧が低く、内設部材１は、バネ部材３によってノズル本体２の後端部に移動し、閉鎖部１ｂとノズル孔２ａが一致する位置まで移動し、完全にノズル孔２ａを閉止する。
【００２１】
従って、人体の洗浄中以外つまりノズル孔２ａから洗浄水が噴出していない時はノズル本体２のノズル孔２ａが閉止されているため、汚物等がノズル本体２内に浸入することがない。よって常に清潔な洗浄水を得ることができる。このための構成がノズル本体２のノズル孔２ａの近傍部だけで完結したシンプルな構成で作成することができる。また、コンパクトな内設部材１で作成することができ、形状も簡単であり、樹脂やゴム等の生産性が良く安価な材料で作成することができる。
【００２２】
また、内設部材１は図２に示すように、流路１ａの近傍にシール部材４を設けると更に気密性が向上し、人体の汚物がノズル本体２内に浸入しにくくなる効果が得られる。
【００２３】
また、内設部材１は図３に示すように、内設部材孔１ａの本体円周方向にシール部材４を設けるとノズル本体２の内径との嵌合が一定になるため動作荷重のバラツキが安定し、内設部材１の移動動作の信頼性が向上できる。
【００２４】
また、図４に示すように、内設部材１を回転させる回転軸５を設け、回転動作によりノズル本体２のノズル孔２ａを開閉する方式の内設部材１を用いても同様に実施することができる。
【００２５】
また、図５に示すように、内設部材の駆動による方法ではなく、弁体である逆止弁部材６をノズル本体２の洗浄噴出孔部に設けることにより、簡単な構成で配置でき、外部からの汚物に対しても浸入防止効果が得られ、材質についても柔軟なゴム材や洗浄水の温度に反応する形状記憶合金等でも同じ効果が得られる。
【００２６】
（実施の形態２）
図６は本発明の第２の実施の形態における人体の局部洗浄中（ａ）と洗浄前（ｂ）の洗浄ノズル先端の断面図を示すものである。
【００２７】
図６において、ノズル本体２は、金属の深絞り加工よって形成されたものであり、内設部材１は、ノズル本体２のノズル孔２ａの開閉と洗浄水の流路効果とを同時に満たすための流路を備えたものであり、バネ部材３と関連して開閉弁を構成している。
【００２８】
以上のように構成された局部洗浄ノズルについて、以下その動作、作用を説明する。
【００２９】
まず、人体の局部洗浄中（ａ）において内設部材１は、洗浄水の水圧によってノズル本体２の先端へと軸方向に移動する。移動位置は、ノズル本体２の内側形状とバネ部材３の設定荷重で決まり、流路部１ａの出口とノズル本体２のノズル孔２ａが一致し、洗浄水が噴出するように設定されている。そしてノズル本体２は、金属の深絞り加工によって形成されているため、肉厚は０．３ｍｍ程度と薄く、そのため、人体の局部を洗浄するための洗浄水の噴出流の状態が不安定となる。これはノズル孔２ａの流路長が０．３ｍｍであるため、洗浄水の噴出方向が決まらず水流の影響（例えば、流量の微小な変化や気泡の混入）により都度噴出方向が変化するためである。ここで正常水の噴出状態を安定させる、つまり人体局部の洗浄特性を向上するために内部部材１の流路７の長さを２ｍｍ以上確保することにより洗浄水流の方向性が定まり整流化され、ノズル孔２ａに到達する時には安定した流れとなる。よって、ノズル孔２ａから噴出した洗浄水は、噴出状態や噴出方向が安定し、特に複数のノズル孔２ａを備え、複数の洗浄水を噴出させる必要性があるビデ洗浄に効果的である。すなわち、図１においてノズル孔２ａは１個を図示したが、例えばビデ洗浄ノズルとして、ノズル孔を複数設けても同じ効果を得ることができる。
【産業上の利用可能性】
【００３０】
以上のように本発明にかかる局部洗浄ノズルは非使用時のノズル内への汚物の侵入を防止することができるため、特に衛生面での注意が必要な衛生洗浄装置の洗浄ノズルに利用可能であるとともに、他のノズル装置にも利用可能である。
【図面の簡単な説明】
【００３１】
【図１】（ａ）本発明の実施の形態１における局部洗浄ノズルの洗浄時の断面図（ｂ）本発明の実施の形態１における局部洗浄ノズルの洗浄前の断面図
【図２】（ａ）本発明の実施の形態１における局部洗浄ノズルの洗浄時の断面図（ｂ）本発明の実施の形態１における局部洗浄ノズルの洗浄前の断面図
【図３】（ａ）本発明の実施の形態１における局部洗浄ノズルの洗浄時の断面図（ｂ）本発明の実施の形態１における局部洗浄ノズルの洗浄前の断面図
【図４】（ａ）本発明の実施の形態１における局部洗浄ノズルの洗浄時の断面図（ｂ）本発明の実施の形態１における局部洗浄ノズルの洗浄前の断面図
【図５】（ａ）本発明の実施の形態１における局部洗浄ノズルの洗浄時の断面図（ｂ）本発明の実施の形態１における局部洗浄ノズルの洗浄前の断面図
【図６】（ａ）本発明の実施の形態２における局部洗浄ノズルの洗浄時の断面図（ｂ）本発明の実施の形態２における局部洗浄ノズルの洗浄前の断面図
【図７】従来の局部洗浄ノズルの斜視図
【図８】従来の局部洗浄ノズルにおける他の例の斜視図
【図９】（ａ）従来の局部洗浄ノズルで、図６（ｂ）のＡ−Ａ線の断面図（ｂ）従来の局部洗浄ノズルの概略構成図
【符号の説明】
【００３２】
１  内設部材
１ａ  流路部
１ｂ  閉鎖部
２  ノズル本体
２ａ  ノズル孔
３  バネ部材
４  シール部材
５  回転軸
６  逆止弁部材
【図１】
2005232895.tif 000003
【図２】
2005232895.tif 000004
【図３】
2005232895.tif 000005
【図４】
2005232895.tif 000006
【図５】
2005232895.tif 000007
【図６】
2005232895.tif 000008
【図７】
2005232895.tif 000009
【図８】
2005232895.tif 000010
【図９】
2005232895.tif 000011